【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
複数のネットワーク内の端末に登録したユーザの属性情報及び前記属性情報に対応付けられた配信情報を問合せる問合せ手段と、
撮像した画像に、前記問合せ手段により問合せたユーザの属性情報に対応する人物が含まれるか否かを判別する判別手段と、
前記判別手段により前記属性情報に対応する人物が含まれると判別された画像をそれぞれ対応する配信情報に基づく配信先に送信する送信手段と、
を有することを特徴とする撮像装置。
【請求項２】
少なくとも一つ以上の人物の属性情報及び前記属性情報に対応付けられた配信情報を登録する登録手段と、
撮像した画像に前記登録手段に登録された前記属性情報に対応する人物が含まれるか否かを判別する判別手段と、
前記判別手段により前記登録手段に登録された前記属性情報に対応する人物が含まれると判別された画像をそれぞれ対応する配信情報に基づく配信先に送信する送信手段と、
を有することを特徴とする撮像装置。
【請求項３】
前記属性情報は、人物の生体識別情報或は服装の特徴情報を含むことを特徴とする請求項１又は２に記載の撮像装置。
【請求項４】
前記生体識別情報は顔識別情報であることを特徴とする請求項３に記載の撮像装置。
【請求項５】
前記生体識別情報は、声の音声識別情報であることを特徴とする請求項３に記載の撮像装置。
【請求項６】
前記生体識別情報は、虹彩識別情報であることを特徴とする請求項３に記載の撮像装置。
【請求項７】
前記特徴情報は、前記撮像装置で撮像した画像に基づいて作成されることを特徴とする請求項３に記載の撮像装置。
【請求項８】
前記問合せ手段は前記ネットワーク内の端末から前記ユーザの属性情報及び前記属性情報に対応付けられた配信情報を取得し、
前記判定手段は撮像した画像に前記属性情報に対応する人物が含まれるか否かを判別することを特徴とする請求項１に記載の撮像装置。
【請求項９】
前記問合せ手段は前記ネットワーク内の端末へ前記撮像装置によって撮像した前記画像を送信し、
前記判定手段は前記端末で前記属性情報に対応する人物が含まれるか否かを判別した結果を取得することを特徴とする請求項１に記載の撮像装置。
【請求項１０】
前記撮像した画像は少なくとも一枚以上の静止画であることを特徴とする請求項１又は２に記載の撮像装置。
【請求項１１】
前記撮像した画像は、少なくとも一枚以上の音声メモを有する静止画であることを特徴とする請求項１又は２に記載の撮像装置。
【請求項１２】
前記撮像した画像は、動画を構成する少なくとも一枚以上の静止画であることを特徴とする請求項１又は２に記載の撮像装置。
【請求項１３】
前記撮像した画像は音声データを有する動画であることを特徴とする請求項１又は２に記載の撮像装置。
【請求項１４】
前記登録手段は前記撮像装置が撮影モード中に登録モードに遷移し、撮影した画像から前記属性情報を抽出し、前記配信情報と対応付けて前記撮像装置に格納することを特徴とする請求項２に記載の撮像装置。
【請求項１５】
前記登録手段は前記撮像装置が再生モード中に登録モードに遷移し、再生した画像から前記属性情報を抽出し、前記配信情報と対応付けて前記撮像装置に格納することを特徴とする請求項２に記載の撮像装置。
【請求項１６】
前記登録手段は前記配信情報に基づく配信先を自動的に前記撮像装置とすることを特徴とする請求項２に記載の撮像装置。
【請求項１７】
前記登録手段は前記配信情報を前記撮像装置の登録モードにおいて任意に設定可能であることを特徴とする請求項２に記載の撮像装置。
【請求項１８】
少なくとも一つ以上の人物の属性情報及び前記属性情報に対応付けられた配信情報を登録する登録手段を備える撮像装置において、
前記登録手段で登録した前記属性情報に対応付けられた配信情報を、撮像装置を有さないデータ処理装置に送信する送信手段を有することを特徴とする撮像装置。
【請求項１９】
前記データ処理装置は、プリンタであることを特徴とする請求項１８に記載の撮像装置。
【請求項２０】
前記送信手段は、前記配信情報に対応する配信先に無線で送信することを特徴とする請求項１乃至１９のいずれか１項に記載の撮像装置。
【請求項２１】
複数のネットワーク内の端末に登録したユーザの属性情報及び前記属性情報に対応付けられた配信情報を問合せる問合せ工程と、
撮像した画像に、前記問合せ工程により問合せたユーザの属性情報に対応する人物が含まれるか否かを判別する判別工程と、
前記判別工程により前記属性情報に対応する人物が含まれると判別された画像をそれぞれ対応する配信情報に基づく配信先に送信する送信工程と、
を有することを特徴とする撮像装置の制御方法。
【請求項２２】
少なくとも一つ以上の人物の属性情報及び前記属性情報に対応付けられた配信情報を登録する登録工程と、
撮像した画像に前記登録工程で登録された前記属性情報に対応する人物が含まれるか否かを判別する判別工程と、
前記判別工程により前記登録工程に登録された前記属性情報に対応する人物が含まれると判別された画像をそれぞれ対応する配信情報に基づく配信先に送信する送信工程と、
を有することを特徴とする撮像装置の制御方法。
【請求項２３】
少なくとも一つ以上の人物の属性情報及び前記属性情報に対応付けられた配信情報を登録する登録工程を備える撮像装置の制御方法において、
前記登録工程で登録した前記属性情報に対応付けられた配信情報を、撮像装置を有さないデータ処理装置に送信する送信工程を備えた撮像装置の制御方法。
【請求項２４】
コンピュータを、請求項１，２及び１８のいずれか１項に記載の撮像装置として機能させるためのプログラム。
【手続補正２】
【補正対象書類名】明細書
【補正対象項目名】発明の名称
【補正方法】変更
【補正の内容】
【発明の名称】撮像装置及びその制御方法とそのプログラム
【手続補正３】
【補正対象書類名】明細書
【補正対象項目名】０００１
【補正方法】変更
【補正の内容】
【０００１】
本発明は、例えばデジタルカメラ等の撮像装置及びその制御方法とそのプログラムに関する。
【手続補正４】
【補正対象書類名】明細書
【補正対象項目名】０００６
【補正方法】変更
【補正の内容】
【０００６】
本願発明の特徴は、特定の人物が含まれている撮影画像を、その特定の人物に自動的に送信することにより、操作者の手間をなくして複数の人物同士で撮影画像を共有できる撮像装置及びその制御方法とそのプログラムを提供することにある。
【手続補正５】
【補正対象書類名】明細書
【補正対象項目名】０００７
【補正方法】変更
【補正の内容】
【０００７】
本発明の一態様に係る撮像装置は以下のような構成を備える。即ち、
複数のネットワーク内の端末に登録したユーザの属性情報及び前記属性情報に対応付けられた配信情報を問合せる問合せ手段と、
撮像した画像に、前記問合せ手段により問合せたユーザの属性情報に対応する人物が含まれるか否かを判別する判別手段と、
前記判別手段により前記属性情報に対応する人物が含まれると判別された画像をそれぞれ対応する配信情報に基づく配信先に送信する送信手段とを有することを特徴とする。
【手続補正６】
【補正対象書類名】明細書
【補正対象項目名】０００８
【補正方法】変更
【補正の内容】
【０００８】
本発明の一態様に係る撮像装置は以下のような構成を備える。即ち、
少なくとも一つ以上の人物の属性情報及び前記属性情報に対応付けられた配信情報を登録する登録手段と、
撮像した画像に前記登録手段に登録された前記属性情報に対応する人物が含まれるか否かを判別する判別手段と、
前記判別手段により前記登録手段に登録された前記属性情報に対応する人物が含まれると判別された画像をそれぞれ対応する配信情報に基づく配信先に送信する送信手段とを有することを特徴とする。
【手続補正７】
【補正対象書類名】明細書
【補正対象項目名】０００９
【補正方法】変更
【補正の内容】
【０００９】
本発明の一態様に係る撮像装置の制御方法は以下のような工程を備える。即ち、
複数のネットワーク内の端末に登録したユーザの属性情報及び前記属性情報に対応付けられた配信情報を問合せる問合せ工程と、
撮像した画像に、前記問合せ工程により問合せたユーザの属性情報に対応する人物が含まれるか否かを判別する判別工程と、
前記判別工程により前記属性情報に対応する人物が含まれると判別された画像をそれぞれ対応する配信情報に基づく配信先に送信する送信工程とを有することを特徴とする。